(57)【要約】【課題】異常発生時にＡＣ電源からの電力供給を速やかに遮断し、且つ異常発生時の状態ログ情報を保持する電源ユニットを提供する。【解決手段】電源ユニットは、制御部と、電源から供給された電力を入力し、装置に供給する第１電力と制御部及び他の電源ユニットに供給する第２電力とを生成する電力生成部と、を備える。制御部は、電力生成部に異常が発生すると、他の電源ユニットが備える電力生成部が生成した第２電力で動作する。【選択図】図１
2018160016.tif 000002
【特許請求の範囲】
【請求項１】
制御部と、
電源から供給された電力を入力し、装置に供給する第１電力と前記制御部及び他の電源ユニットに供給する第２電力とを生成する電力生成部と、
を備える電源ユニット。
【請求項２】
前記制御部は、自装置が備える前記電力生成部に異常が発生すると、他の電源ユニットが備える前記電力生成部からの前記第２電力で動作する
請求項１に記載の電源ユニット。
【請求項３】
前記制御部は、自装置に異常が発生すると、当該異常発生時の自装置の状態を示す情報を保持する、
請求項２に記載の電源ユニット。
【請求項４】
請求項１から請求項３の何れか１項に記載の電源ユニットを複数と、
前記複数の電源ユニットの制御を行うユニット制御部と、
を備え、
前記ユニット制御部は、
前記電源ユニットの各々に発生する異常を判定する異常判定部と、
前記異常判定部が異常を判定すると、当該異常が判定された前記電源ユニットへの前記電源からの電力の供給を遮断するよう制御を行う切替制御部と、
を備える電源システム。
【請求項５】
前記制御部は、当該制御部が備えられた電源ユニットの電力生成部の前記第２電力の出力ポートと接続されるとともに、他の前記電源ユニットが備える前記電力生成部の前記第２電力の出力ポートと接続される、
請求項４に記載の電源システム。
【請求項６】
前記切替制御部が前記電源から故障が生じた前記電源ユニットへの電力の供給を遮断すると、当該故障の生じた前記電源ユニットが備える前記制御部は、他の前記電源ユニットにて生成された前記第２電力によって動作する、
請求項５に記載の電源システム。
【請求項７】
前記電源と前記複数の電源ユニット各々の間には、前記電源と前記電源ユニットの接続状態を切り替える切替手段が設けられ、前記切替制御部は、前記異常判定部が異常を判定すると、前記電源と当該異常が検出された前記電源ユニットとの間に設けられた前記切替手段を非接続状態に切り替える、
請求項４から請求項６の何れか１項に記載の電源システム。
【請求項８】
前記ユニット制御部は、
前記異常判定部が異常を判定すると、当該異常が検出された前記電力生成部を備える電源ユニットの前記制御部へ、当該電源ユニットの状態を保持するよう指示する状態保持指示部、
をさらに備える請求項４から請求項７の何れか１項に記載の電源システム。
【請求項９】
請求項４から請求項８の何れか１項に記載の電源システム、を備える情報処理装置。
【請求項１０】
電源ユニットが、
電源から供給された電力を入力し、装置に供給する第１電力と自装置の制御部に供給する第２電力とを生成する、
制御方法。
【発明の詳細な説明】
【技術分野】
【０００１】
本発明は、電源ユニット、電源システム、情報処理装置及び制御方法に関する。
【背景技術】
【０００２】
冗長電源構成を有する情報処理装置において、現用系のＰＳＵ（Power Supply Unit）が故障すると、ＬＥＤの点灯、ブザー音、ネットワークを介するメッセージの通報等によりＰＳＵの異常が通知される。また、情報処理装置の電源が、故障したＰＳＵから予備系のＰＳＵに切り替わり、情報処理装置の稼働が継続する。例えば、特許文献１には、現用系と予備系のＰＳＵに加え２次電池を設け、現用系ＰＳＵの故障時に、現用系から予備系に切り替える過渡状態に、必要な電圧が継続して負荷に供給されるように２次電池から供給する電圧を調整する制御方法について記載されている。
【先行技術文献】
【特許文献】
【０００３】
【特許文献１】特開２０１６−１８１１７９号公報
【発明の概要】
【発明が解決しようとする課題】
【０００４】
しかし、上記の特許文献１等には、異常が発生した現用系ＰＳＵから予備系ＰＳＵへの切替制御については記載されていても、障害が発生した現用系ＰＳＵへの対処方法については記載が無い。例えば、一般的には、異常発生の通知を受けた保守員が、ＰＳＵを交換するまで、故障したＰＳＵにＡＣ電源から電力が供給される。ＰＳＵには、商用電源であるＡＣ１００Ｖ、ＡＣ２００Ｖなどの高電圧が入力されているため、ヒューズなど安全対策が施されている。しかし、故障個所、故障内容を予測することは困難であり、故障したＰＳＵへの通電を継続すると、発火、発煙など、重大障害に発展するおそれがある。また、故障と同時にＡＣ電圧の通電を遮断させると、ＰＳＵの内部情報が失われ、故障の原因の特定が困難になる。このような課題に対処できるＰＳＵが求められている。
【０００５】
そこでこの発明は、上述した課題を解決する電源ユニット、電源システム、情報処理装置及び制御方法を提供することを目的としている。
【課題を解決するための手段】
【０００６】
本発明は、制御部と、電源から供給された電力を入力し、装置に供給する第１電力と前記制御部に供給する第２電力とを生成する電力生成部と、を備える電源ユニットである。
【０００７】
また本発明は、上記の電源ユニットを複数と、前記複数の電源ユニットの制御を行うユニット制御部と、を備え、前記ユニット制御部は、前記電源ユニットの各々に発生する異常を検出する異常判定部と、前記異常判定部が異常を判定すると、該異常が検出された前記電源ユニットへの前記電源からの電力の供給を遮断するよう制御を行う切替制御部と、を備える電源システムである。
【０００８】
また本発明は、上記の電源システムを備える情報処理装置である。
【０００９】
また本発明は、電源ユニットが、電源から供給された電力を入力し、装置に供給する第１電力と自装置の制御部に供給する第２電力とを生成する、制御方法である。
【発明の効果】
【００１０】
本発明によれば、電源ユニットに故障が生じた場合でも、当該電源ユニットへのＡＣ電源からの電力の供給を速やかに停止しつつ、故障の発生時の電源ユニットの状態に関する情報を保存することができる。
【図面の簡単な説明】
【００１１】
【図１】本発明の第一の実施形態による電源ユニットの最小構成を示すブロック図である。
【図２】本発明の第一の実施形態による電源システムの構成の一例を示すブロック図である。
【図３】本発明の第一の実施形態による電源システムの一例を示す図である。
【図４】本発明の第一の実施形態による電源ユニットの故障の判定方法を説明する図である。
【図５】本発明の第一の実施形態による電源システムの処理の一例を示すフローチャートである。
【図６】本発明の第二の実施形態による電源システムの一例を示す図である。
【図７】本発明の第三の実施形態による電源システムの一例を示す図である。
【図８】一般的な電源システムの一例を示す第１の図である。
【図９】一般的な電源システムの一例を示す第２の図である。
【発明を実施するための形態】
【００１２】
まず、図８、図９を用いて一般的な電源システムにおける故障発生時の動作の一例について説明する。図８にサーバ装置の前面からＰＳＵを挿抜する形態の一般的な電源システムの例を示す。ＭＢはマザーボード、ＰＳＵ＃１およびＰＳＵ＃２は冗長電源を構成する電源ユニット、ＰＳＵ＿ＢＰはＰＳＵ＃１およびＰＳＵ＃２が挿抜されるバックパネルである。ＡＣ電源からの電力は、サーバ装置の背面から供給される。供給された電力はサーバ装置の内部で、ＰＳＵ＿ＢＰを介して、ＰＳＵ＃１およびＰＳＵ＃２に供給される。
【００１３】
次に図９を用いて、図８に例示したＰＳＵ＃１またはＰＳＵ＃２に故障が生じたときの制御の一例について説明する。図９に示す構成例では、商用ＡＣ電源とＰＳＵ＿ＢＰの間にＡＣ電源からの電力を遮断することができるＰＤＵ（コンセントボックス）が設けられている。また、ＭＢとＰＤＵはネットワークを介して接続されており、ＭＢからの信号によりＰＤＵの動作を制御することができる。ＭＢで稼働するＰＳＵ制御システムは、例えば、ＰＳＵ＃１が故障すると、その故障を検出し、Ｉ２Ｃバスを介してＰＳＵ＃１の情報を採取する。ＰＳＵ故障時の動作を制御するＰＳＵ制御システムは、ＰＳＵ＃１の状態をログに記録する。その後、ＰＳＵ制御システムは、ネットワーク（ＬＡＮ：local area network）を介してＰＤＵの動作を制御し、故障したＰＳＵ＃１へのＡＣ電圧の通電を遮断させる。この制御方法では、故障したＰＳＵへの給電が遮断されるまでの間に、故障を認識するまでの時間、ログを採取する時間、ＰＤＵとの通信時間、ＰＤＵの動作時間などが必要となる。このようにＰＳＵ＃１が故障してからＡＣ電圧の通電が遮断されるまでに時間を要すると、その間に給電された電力により発火等の重大事故が発生する可能性がある。また、ＡＣ電圧の通電が遮断されＬＥＤが消灯するため、保守員が対応を行うときには、故障個所に関する情報が目視で確認できなくなる。
【００１４】
＜第一の実施形態＞
以下、本発明の一実施形態による電源システムを図１〜図５を参照して説明する。
図１は第一の実施形態による電源ユニットの最小構成を示す図である。
図１に示す通り、電源ユニット１０は、電力生成部１１と、制御部１２と、を少なくとも備えている。
電力生成部１１は、電源から供給された電力を入力し、装置に供給する第１電力と制御部１２に供給する第２電力とを生成する。装置とは、例えばサーバ装置であって、第１電力は、サーバ装置を稼働するのに必要な電力である。また、第２電力とは次に説明する制御部１２へ供給するスタンバイ電源である。
制御部１２は、電源ユニット１０の監視、管理などを行う。例えば、制御部１２は、電源ユニット１０の状態を示す各種信号を外部の装置に出力する。また、制御部１２は、電力生成部１１に異常が発生すると、他の電源ユニット１０が備える電力生成部１１からの第２電力で動作する。
【００１５】
図２は、本発明の第一の実施形態による電源システムの構成の一例を示すブロック図である。
図２に示す電源システムは、複数の電源ユニット１０Ａ、１０Ｂと、電源ユニット制御部２０と、を含む。電源ユニット１０Ａ、１０Ｂは、電源３０から電力の供給を受ける。電源ユニット１０Ａでは、電力生成部１１Ａが電源３０から供給された電力から、装置４０へ供給する第１電力と、制御部１２Ａへ供給する第２電力とを生成する。電力生成部１１Ａは、第１電力を電力線１１０Ａを介して装置４０へ供給し、第２電力を電力線１２０Ａを介して制御部１２Ａへ供給する。電源ユニット１０Ｂでも同様に、電力生成部１１Ｂが電源３０から供給された電力に基づいて、第１電力と第２電力とを生成する。電力生成部１１Ｂは、第１電力を電力線１１０Ｂを介して装置４０へ供給し、第２電力を電力線１２０Ｂを介して制御部１２Ｂへ供給する。ここで、図示するように制御部１２Ａは、電力生成部１１Ａの出力ポートと電力線１２０Ａを介して接続されるとともに、他の電源ユニット１０Ｂが備える電力生成部１１Ｂにおける第２電力の出力ポートと電力線１２０Ｂを介して接続されている。制御部１２Ｂについても同様に、電力生成部１１Ｂの第２電力の出力ポートと接続されるとともに、他の電源ユニット１０Ａが備える電力生成部１１Ａにおける第２電力の出力ポートと接続されている。この構成により、制御部１２Ａおよび制御部１２Ｂは、通常時、電力生成部１１Ａおよび電力生成部１１Ｂから第２電力の供給を受けている。
【００１６】
電源ユニット制御部２０は、電源ユニット１０Ａ、１０Ｂに異常が生じたときの種々の制御を行う。電源ユニット制御部２０は、異常判定部２１と、切替制御部２２と、状態保持指示部２３と、を備える。
異常判定部２１は、電源ユニット１０Ａ、１０Ｂの状態を示す各種信号を取得し、電源ユニット１０Ａ、１０Ｂに異常が発生したかどうかを判定し、異常が発生した電源ユニット１０Ａまたは電源ユニット１０Ｂへの電力供給を遮断するかどうかを判定する。
切替制御部２２は、異常判定部２１が、異常の発生および電力供給の遮断を判定すると、当該異常が発生したと判定した電源ユニット１０（例えば１０Ａ）への電力の供給を遮断する。より具体的には、例えば、電源３０と複数の電源ユニット１０Ａ、１０Ｂ各々の間には、電源３０と電源ユニット１０Ａの接続と非接続を切り替える切替手段３１Ａ、電源３０と電源ユニット１０Ｂの接続と非接続を切り替える切替手段３１Ｂが設けられている。そして、切替制御部２２は、異常判定部２１が電源ユニット１０Ａの異常を判定すると、電源３０と当該異常と判定された電源ユニット１０Ａの間に設けられた切替手段３１Ａを非接続状態に切り替える。上記のように制御部１２Ａは、電力生成部１１Ａと電力生成部１１Ｂからスタンバイ電源による電力の供給を受けている。従って、自装置（電源ユニット１０Ａ）への給電が遮断されても、制御部１２Ａへは、電源ユニット１０Ｂ（電力生成部１１Ｂ）からのスタンバイ電源による電力が供給される。同様に電源ユニット１０Ｂに異常が生じた場合、切替制御部２２は、電源３０と電源ユニット１０Ｂの間に設けられた切替手段３１Ｂを非接続状態に切り替える。
状態保持指示部２３は、異常判定部２１が異常の発生および電力供給の遮断を判定すると、当該異常と判定された電源ユニット１０（例えば１０Ａ）の制御部１２（例えば１２Ａ）へ、当該電源ユニット１０（例えば１０Ａ）が備える異常検出回路の停止を指示する。これにより、制御部１２には異常発生時の内部情報が保持される。
【００１７】
次に図３〜図５を用いて本実施形態の電源システムについてさらに詳しく説明する。
図３は、本発明の第一の実施形態による電源システムの一例を示す図である。
図３に本実施形態の電源システムを備えたサーバ装置の一例を示す。このサーバ装置では、筐体の前面からＰＳＵ＃１、ＰＳＵ＃２を挿抜する。ＭＢはマザーボード、ＰＳＵ＃１およびＰＳＵ＃２は冗長電源を構成する電源ユニット、ＰＳＵ＿ＢＰはＰＳＵ＃１およびＰＳＵ＃２が挿抜されるバックパネルである。ＡＣ電源（商用電源２００Ｖ）からの電力は、サーバ装置の背面から供給される。また、ＡＣ電源とＰＳＵ＃１（ＰＳＵ＃２）の間にはＲＥＬＡＹ＃１（ＲＥＬＡＹ＃２）が設けられている。ＲＥＬＡＹ＃１（ＲＥＬＡＹ＃２）は、ＡＣ電源とＰＳＵ＃１（ＰＳＵ＃２）との接続状態を切り替えるリレーである。商用電源２００Ｖが供給する電力は、ＲＥＬＡＹ＃１（ＲＥＬＡＹ＃２）、ＰＳＵ＿ＢＰを介して、ＰＳＵ＃１およびＰＳＵ＃２へと供給される。供給された電力はサーバ装置の内部で、ＰＳＵ＿ＢＰを介して、ＰＳＵ＃１およびＰＳＵ＃２に供給される。
ＰＳＵ＃１（ＰＳＵ＃２）は、ＡＣ＿ＤＣ＃１（ＡＣ＿ＤＣ＃２）と、ＰＳＵ＿ＣＮＴ＃１（ＰＳＵ＿ＣＮＴ＃２）と、ＬＥＤ＃１（ＬＥＤ＃２）とを備えている。ＬＥＤ＃１（ＬＥＤ＃２）は、ＰＳＵ＃１（ＰＳＵ＃２）の稼働状態に応じた点灯・点滅を行う。このＬＥＤ＃１（ＬＥＤ＃２）の点灯・点滅状態によって保守員は、ＰＳＵ＃１（ＰＳＵ＃２）の状態を把握する。
【００１８】
１２Ｖ、５ＶＳは、それぞれＡＣ＿ＤＣ＃１およびＡＣ＿ＤＣ＃２が出力するシステム電源（１２Ｖ）、スタンバイ電源（５ＶＳ）である。システム電源は、サーバ装置上でシステムが稼働するために必要な電源であり、スタンバイ電源は、ＭＢ、ＰＳＵ＃１およびＰＳＵ＃２に設けられた管理、監視用の回路等に供給される電力の電源である。本実施形態では、スタンバイ電源供給用に、ＡＣ＿ＤＣ＃１とＰＳＵ＿ＣＮＴ＃１とを接続する電力線、ＡＣ＿ＤＣ＃１とＰＳＵ＿ＣＮＴ＃２とを接続する電力線が設けられる。同様にＡＣ＿ＤＣ＃２とＰＳＵ＿ＣＮＴ＃２とを接続する電力線、ＡＣ＿ＤＣ＃２とＰＳＵ＿ＣＮＴ＃１とを接続する電力線が設けられる。このような構成のため、ＰＳＵ＿ＣＮＴ＃１には、通常時、ＡＣ＿ＤＣ＃１とＡＣ＿ＤＣ＃２からスタンバイ電源が供給され、ＰＳＵ＿ＣＮＴ＃２には、通常時、ＡＣ＿ＤＣ＃１とＡＣ＿ＤＣ＃２からスタンバイ電源が供給される。なお、システム電源およびスタンバイ電源は、ＡＣ＿ＤＣ＃１およびＡＣ＿ＤＣ＃２からＭＢへと供給される。
また、ＭＢとＰＳＵ＿ＣＮＴ＃１およびＰＳＵ＿ＣＮＴ＃２はＩ２Ｃバス等で接続されている。
【００１９】
ＰＳＵ＿ＢＰは、商用電源２００Ｖからの電力をＰＳＵ＃１（ＰＳＵ＃２）へ供給する電力線と、ＰＳＵ＃１（ＰＳＵ＃２）が生成したシステム電源およびスタンバイ電源をＭＢへ供給する電力線と、ＲＥＬＡＹ＿ＣＮＴ＃１およびＲＥＬＡＹ＿ＣＮＴ＃２とを備える。ＲＥＬＡＹ＿ＣＮＴ＃１（ＲＥＬＡＹ＿ＣＮＴ＃２）とＰＳＵ＿ＣＮＴ＃１（ＰＳＵ＿ＣＮＴ＃２）とは複数の信号線で接続されている。また、ＲＥＬＡＹ＿ＣＮＴ＃１（ＲＥＬＡＹ＿ＣＮＴ＃２）とＲＥＬＡＹ＃１（ＲＥＬＡＹ＃２）とはリレーの接続、非接続を切り替える信号を出力する信号線で接続されている。また、ＲＥＬＡＹ＿ＣＮＴ＃１とＲＥＬＡＹ＿ＣＮＴ＃２は、各々が制御するリレー（それぞれＲＥＬＡＹ＃１、ＲＥＬＡＹ＃２）の接続・非接続状態を示す信号を出力する信号線で接続されている。
【００２０】
図２のブロック図と対比すると、ＰＳＵ＃１（ＰＳＵ＃２）は電源ユニット１０Ａ（１０Ｂ）、ＡＣ＿ＤＣ＃１（ＡＣ＿ＤＣ＃２）は電力生成部１１Ａ（１１Ｂ）、ＰＳＵ＿ＣＮＴ＃１（ＰＳＵ＿ＣＮＴ＃２）は制御部１２Ａ（１２Ｂ）である。また、ＲＥＬＡＹ＿ＣＮＴ＃１およびＲＥＬＡＹ＿ＣＮＴ＃２は、電源ユニット制御部２０である。ＲＥＬＡＹ＃１は切替手段３１Ａ、ＲＥＬＡＹ＃２は切替手段３１Ｂである。
【００２１】
Ｐ−ＧＯＯＤ＃１（Ｐ−ＧＯＯＤ＃２）は、ＰＳＵ＃１（ＰＳＵ＃２）の電源出力の状態を示す信号である。ＦＡＩＬ＃１（ＦＡＩＬ＃２）は、ＰＳＵ＃１（ＰＳＵ＃２）での異常の有無を示す信号である。ＰＲＥＳ＃１（ＰＲＥＳ＃２）は、ＰＳＵ＃１（ＰＳＵ＃２）の装着の有無を示す信号である。
ＰＳＵ＿ＣＮＴ＃１（ＰＳＵ＿ＣＮＴ＃２）は、Ｐ−ＧＯＯＤ＃１（Ｐ−ＧＯＯＤ＃２）、ＦＡＩＬ＃１（ＦＡＩＬ＃２）、ＰＲＥＳ＃１（ＰＲＥＳ＃２）の各信号を、ＲＥＬＡＹ＿ＣＮＴ＃１（ＲＥＬＡＹ＿ＣＮＴ＃２）へ出力する。
【００２２】
ＰＳＯＮは、サーバ装置の電源が投入されたことを示す信号である。サーバ装置（ＭＢ）で稼働するシステムは、ＰＳＯＮ信号をＰＳＵ＃１およびＰＳＵ＃２へ出力する。
Ｉ２Ｃバスは、ＰＳＵ＃１およびＰＳＵ＃２とＭＢとを接続するバスで、例えばＰＳＵ＃１、ＰＳＵ＃２が故障すると、故障時のＰＳＵ＃１、ＰＳＵ＃２の状態を示す情報がＩ２Ｃバスを経由してＭＢへと出力される。これらの信号および信号線は、一般的な電源システムにも備わる構成である。
【００２３】
次に本実施形態の特徴的な信号について説明する。ＨＯＬＤ＃１（ＨＯＬＤ＃２）は、ＰＳＵ＃１（ＰＳＵ＃２）の状態を示す情報の保持を指示する信号である。ＡＣ＿ＯＦＦ＃１（ＡＣ＿ＯＦＦ＃２）は、ＲＥＬＡＹ＃１（ＲＥＬＡＹ＃２）を切断状態にする信号である。また、ＡＣＯＦＦは、ＡＣ＿ＯＦＦ＃１およびＡＣ＿ＯＦＦ＃２のワイヤードオアで、複数の電源ユニット（ＰＳＵ＃１とＰＳＵ＃２）が冗長構成として機能しているかどうかを示す信号である。例えば、ＲＥＬＡＹ＃１等のうち一方のリレーが非接続であれば、ＡＣＯＦＦは、冗長構成ではないことを示す信号となる。ＨＯＬＤ＃１（ＨＯＬＤ＃２）、ＡＣ＿ＯＦＦ＃１（ＡＣ＿ＯＦＦ＃２）、ＡＣＯＦＦの各信号は、ＲＥＬＡＹ＿ＣＮＴ＃１（ＲＥＬＡＹ＿ＣＮＴ＃２）が生成する信号である。
【００２４】
さらに本実施形態では、サーバ装置の背面のＡＣ電源入力とＰＳＵ＿ＢＰの間に挿入されたリレー（ＲＥＬＡＹ＿ＣＮＴ＃１、＃２）、ＰＳＵ＿ＢＰ上に制御回路ＲＥＬＡＹ＿ＣＮＴ＃１およびＲＥＬＡＹ＿ＣＮＴ＃２が設けられる。また、本実施形態では、ＰＳＵ＃１（ＰＳＵ＃２）の制御回路ＰＳＵ＿ＣＮＴ＃１（ＰＳＵ＿ＣＮＴ＃２）にＰＳＵ＃１等の内部電源（ＰＳ３．３Ｖ）ではなくスタンバイ電源５ＶＳを供給する。また、本実施形態によるＰＳＵ＿ＣＮＴ＃１（ＰＳＵ＿ＣＮＴ＃２）は、ＲＥＬＡＹ＿ＣＮＴ＃１（ＲＥＬＡＹ＿ＣＮＴ＃２）が出力したＨＯＬＤ＃１（ＨＯＬＤ＃２）信号を取得すると、ＬＥＤ＃１（ＬＥＤ＃２）の点灯・点滅状態やＰＳＵ＃１（ＰＳＵ＃２）の状態を示す情報を保持する回路（図示せず）を備える。
【００２５】
次に本実施形態の電源システムにて、電源ユニットに故障が発生したときの動作について、ＰＳＵ＃１が故障した場合を例に説明する。
ＲＥＬＡＹ＿ＣＮＴ＃１は、ＰＳＵ＃１から取得したＰＲＥＳ＃１によりＰＳＵ＃１のＰＳＵ＿ＢＫへの実装の有無を、ＰＳＯＮによりサーバ装置への電源投入の有無を、ＡＣＯＦＦにより電源ユニット（ＰＳＵ＃１、＃２）の冗長構成の有無を、Ｐ−ＧＯＯＤ＃１、ＦＡＩＬ＃１によりＰＳＵ＃１で生じた異常の有無を判定する。例えば、ＲＥＬＡＹ＿ＣＮＴ＃１は、取得した各信号から、ＰＳＵ＃１の「実装あり」、「電源オンあり」、「冗長構成あり（ＰＳＵ＃２がオフされていない）」、ＰＳＵ＃１に発生した「異常あり」を判定する。ＲＥＬＡＹ＿ＣＮＴ＃１は、これらの判定により、異常が発生したＰＳＵ＃１へのＡＣ電源からの給電を遮断する制御を行う。具体的には、ＲＥＬＡＹ＿ＣＮＴ＃１は、ＡＣ＿ＯＦＦ＃１をＲＥＬＡＹ＃１に出力し、ＨＯＬＤ＃１をＰＳＵ＿＃１を出力する。
【００２６】
ＡＣ＿ＯＦＦ＃１をＲＥＬＡＹ＃１に出力すると、ＲＥＬＡＹ＃１は、接続状態を非接続（オフ）へ切り替える。これにより、ＰＳＵ＃１へのＡＣ電源の給電が遮断される。ＲＥＬＡＹ＃１を非接続にする一連の動作は、ハードウェアによる制御のため、故障の発生から最短時間でＡＣ電源からの通電が遮断される。このため、故障したＰＳＵ＃１への通電による発火、発煙などを防ぐことができる。ＰＳＵ＃１へのＡＣ電源からの通電が遮断されると、ＰＳＵ＿ＣＮＴ＃１はＰＳＵ＃２のＡＣ＿ＤＣ＃２と接続されているので、ＡＣ＿ＤＣ＃２からＰＳＵ＿ＣＮＴ＃１へスタンバイ電源（５ＶＳ）が供給される。このように各電源ユニット（例えばＰＳＵ＃１）におけるスタンバイ電源の出力ポートを他の電源ユニット１０（ＰＳＵ＃２）の制御部１２（ＰＳＵ＿ＣＮＴ＃２）に接続する構成を採用することで、ＡＣ電源を遮断しても、制御部１２の動作維持に必要な、スタンバイ電源を確保することができる。
【００２７】
また、ＨＯＬＤ＃１を出力すると、ＰＳＵ＿ＣＮＴ＃１の状態の遷移が停止される。ＰＳＵ＿ＣＮＴ＃１は、ＰＳＵ＃１の状態を示す情報を保持する回路（情報保持回路）を備えている。ＰＳＵ＿ＣＮＴ＃１は、この情報保持回路により故障発生時のＰＳＵ＃１の状態を示す情報を保持し続ける。保持される情報には、ＬＥＤ＃１の点灯・点滅の制御情報が含まれる。これにより、ＬＥＤ＃１は故障発生時の点灯・点滅状態を維持し続ける。なお、上記の説明のようにＡＣ電源からの電力が遮断されても、ＰＳＵ＃２からスタンバイ電源が供給されるので、情報保持回路は、状態情報の保持が可能であり、ＬＥＤ＃１も点灯が可能である。ＰＳＵ＿ＣＮＴ＃１に故障発生時の内部情報が保持されるので、ＭＢで稼働するＰＳＵ制御システムは、Ｉ２Ｃバスを介して故障発生時のＰＳＵ＃１の内部の情報を取得することができる。また、ＬＥＤ＃１が点灯したままの状態となるため、ＰＳＵ＃１のＬＥＤ＃１の点灯状態により、目視にて故障の状況を判別できる。
【００２８】
次にＲＥＬＡＹ＿ＣＮＴ＃１、＃２による各種信号に基づくＡＣ電源給電遮断判定について説明する。
図４は、本発明の第一の実施形態による電源ユニットの故障の判定方法を説明する図である。
図４は、電源ユニット（ＰＳＵ＃１等）の動作とリレー切断によりＡＣ電源からの通電を遮断する条件の関係を示した表である。表の見出し列について左から順に説明する。「電源の状態」項目には、ＰＳＵの状態を示す「フェーズ」、各フェーズにおける各制御値の状態を示す「状態」の項目が設けられている。例えば、「ＰＳＯＮ投入後」のフェーズには、「正常」、「１２Ｖ過電流」、「１２Ｖ出力異常」、「１２Ｖ温度異常」、「５ＶＳ過電流」、「５ＶＳ低電圧」、「内部ＦＡＮ回転数低下」、「ＦＡＮ回転停止」、「非冗長」などの状態が存在する。
【００２９】
「出力」項目には、「１２Ｖ」、「５ＶＳ」の各項目が設けられている。「１２Ｖ」、「５ＶＳ」はそれぞれ、ＰＳＵが出力するシステム電源、スタンバイ電源であり、ＯＮまたはＯＦＦ等の値が設定される。例えば、「１２Ｖ」項目の値がＯＮであればそのＰＳＵからシステム電源が出力されていて、「１２Ｖ」項目の値がＯＦＦであればそのＰＳＵからシステム電源が出力されていないことを示す。
【００３０】
「ＬＥＤ表示」項目には、３個のＬＥＤの点灯・点滅状態を表す項目が設けられている。例えば、ＰＳＯＮ投入後、正常な状態であれば、緑のＬＥＤを点灯し、残り２つのＬＥＤ（橙）を消灯すること等が設定されている。
【００３１】
「出力信号」項目には、「Ｐ−ＧＯＯＤ」、「ＦＡＩＬ」、「ＰＲＥＳ」の各項目が設けられている。これらの項目は、順に、電源出力の状態、異常の有無、ＰＳＵの実装の有無を示し、各項目には、正常（良好）、または、異常の値が設定されている。
「入力信号」の「ＰＳＯＮ」項目には、システムからＰＳＵへのオン信号の有無が設定されている。「ＰＳＯＮ」項目には、オンまたはオフが設定されている。
「他信号」の「ＡＣＯＦＦ」項目は、冗長構成かどうかを示す値が設定されている。「ＡＣＯＦＦ」項目には、冗長または非冗長が設定されている。
「リレー」項目には、ＰＳＵへのＡＣ電源の接続・非接続を切り替えるリレーの接続状態が設定されている。
【００３２】
次に「ＰＳＯＮ投入」フェーズにてＰＳＵ＃１で「１２Ｖ出力異常」が発生した場合を例に、図４の表に基づくＡＣ電源給電遮断判定について説明する。ＰＳＵ＃１は、システム電源の出力異常を検出すると、１２Ｖの供給を停止（「ＯＦＦ」）し、５ＶＳの供給は継続する（「ＯＮ」）。このとき、ＰＳＵ＿ＣＮＴ＃１からＲＥＬＡＹ＿ＣＮＴ＃１へは、異常を示すＰ−ＧＯＯＤ＃１信号（Ｌ）、異常を示すＦＡＩＬ＃１信号（Ｈ）、実装済みを示すＰＲＥＳ＃１信号（Ｌ）が出力される。また、ＡＣＯＦＦ信号には、冗長構成であることを示す値が設定されている。つまり、冗長構成のため、故障が生じたＰＳＵ＃１へのＡＣ電源の供給を遮断することができる。この場合の表の右端の「リレー」項目をみると「切断」が設定されている。これは、各信号が「１２Ｖ出力異常」行に示す値をとる場合、リレーを切断状態に切り替えることを意味する。例えば、ＰＳＵ＃１に１２Ｖ出力異常が生じた場合、ＲＥＬＡＹ＿ＣＮＴ＃１は、ＰＳＵ＿ＣＮＴ＃１から取得した各種信号と図４の表に記された各種信号の条件と照らし合わせ、これらの条件を満たす場合、ＲＥＬＡＹ＃１を切断状態にするＡＣ＿ＯＦＦ＃１をＲＥＬＡＹ＃１に出力する。
【００３３】
図４によるとリレーを切断する条件について以下のようにまとめることができる。
（１）フェーズ「ＰＳＯＮ」が電源オン（Ｌ）で、「ＰＲＥＳ」が実装（Ｌ）かつ、「ＡＣＯＦＦ」が冗長（Ｈ）かつ、「Ｐ−ＧＯＯＤ」が出力異常（Ｌ）の場合、リレーを切断する。
（２）「ＰＳＯＮ」が電源オフ（Ｈ）で、「ＰＲＥＳ」が実装（Ｌ）かつ、「ＡＣＯＦＦ」が冗長（Ｈ）、かつ、「Ｐ−ＧＯＯＤ」が出力異常（Ｌ）かつ、「ＦＡＩＬ」が異常（Ｈ）の場合、リレーを切断する。
ＰＳＵ＃１（ＰＳＵ＃２）から取得した各信号がこれらの条件の何れかを満たす場合、ＲＥＬＡＹ＿ＣＮＴ＃１（ＲＥＬＡＹ＿ＣＮＴ＃２）は、ＲＥＬＡＹ＃１（ＲＥＬＡＹ＃２）を切断状態にするＡＣ＿ＯＦＦ＃１（ＡＣ＿ＯＦＦ＃２）をＲＥＬＡＹ＃１（ＲＥＬＡＹ＃２）に出力する。すると、異常が検出されたＰＳＵ＃１（ＰＳＵ＃２）へのＡＣ電源からの通電が遮断される。ただし、図４の表で内部ＦＡＮ回転数低下、５ＶＳ過電流の場合は、前記の信号からは、正常と異常の区別がつかないため、ＡＣ電源の通電を遮断する制御を行わない。
【００３４】
次に図５を用いて、本実施形態のＡＣ電源の遮断処理の流れについて説明する。
図５は、本発明の第一の実施形態による電源システムの処理の一例を示すフローチャートである。
前提として図３のシステム構成を例に説明を行う。また、かっこ内に図２のブロック図における構成を記載する。なお、図３を用いて説明したようにＰＳＵ＿ＣＮＴ＃１（ＰＳＵ＿ＣＮＴ＃２）には、ＡＣ＿ＤＣ＃１とＡＣ＿ＤＣ＃２からスタンバイ電源が供給されている。また、ＲＥＬＡＹ＃１とＲＥＬＡＹ＃２は共に接続状態にある。
まず、ＲＥＬＡＹ＿ＣＮＴ＃１（異常判定部２１）が、ＰＳＵ＿ＣＮＴ＃１（制御部１２Ａ）から各種信号（Ｐ−ＧＯＯＤ＃１、ＦＡＩＬ＃１、ＰＲＥＳ＃１）を例えば所定の時間間隔で取得する（ステップＳ１１）。同様にＲＥＬＡＹ＿ＣＮＴ＃２（異常判定部２１）は、ＰＳＵ＿ＣＮＴ＃２（制御部１２Ｂ）からＰ−ＧＯＯＤ＃２、ＦＡＩＬ＃２、ＰＲＥＳ＃２の各信号を取得する。図４に示すようにＲＥＬＡＹ＿ＣＮＴ＃１（異常判定部２１）は、Ｐ−ＧＯＯＤ＃１、ＦＡＩＬ＃１の値によって、ＰＳＵ＃１の異常を判定することができる。また、ＲＥＬＡＹ＿ＣＮＴ＃１（異常判定部２１）は、ＰＲＥＳ＃１、ＡＣＯＦＦによって、ＰＳＵ＃１、ＰＳＵ＃２が冗長電源を構成するかどうかを判定することができる。ＲＥＬＡＹ＿ＣＮＴ＃１（異常判定部２１）は、取得した信号によってＰＳＵ＃１に異常が生じたかどうか、異常が発生したＰＳＵ＃１への電力供給を遮断するかどうかを判定する（ステップＳ１２）。ＲＥＬＡＹ＿ＣＮＴ＃２（異常判定部２１）も同様に、ＰＳＵ＃２に異常が発生しているかどうか等を判定する。異常および電力供給の遮断の判定は、図４を用いて説明したとおりである。異常が生じていない場合（ステップＳ１２；Ｎｏ）、ステップＳ１１からの処理を繰り返す。
【００３５】
また、異常が生じている場合（ステップＳ１２；Ｙｅｓ）、例えば、ＰＳＵ＃１に異常が生じた場合、ＲＥＬＡＹ＿ＣＮＴ＃１（状態保持指示部２３）は、異常が生じたＰＳＵ＃１（電源ユニット１０Ａ）のＰＳＵ＿ＣＮＴ＃１（制御部１２Ａ）へ状態保持を指示する（ステップＳ１３）。具体的には、ＲＥＬＡＹ＿ＣＮＴ＃１（状態保持指示部２３）は、ＨＯＬＤ＃１をＰＳＵ＿ＣＮＴ＃１（制御部１２Ａ）に出力する。これにより、ＰＳＵ＃１の異常検出回路が停止する。異常検出回路が停止すると、次のステップＳ１４の処理でＡＣ電力の供給が遮断されても、異常検出回路の検出内容が「ＡＣ異常」へと遷移することがない。異常検出回路が停止し検出内容が遷移しないので、異常検出回路の検出内容を保持するＰＳＵ＿ＣＮＴ＃１の情報保持回路においても、異常発生時のＰＳＵ＃１の異常の状態を示す内部情報がそのまま保持されることになる。これにより、次のステップでＡＣ電源からの通電が切断されても、ＰＳＵ＿ＣＮＴ＃１（制御部１２Ａ）には、ＡＣ遮断による状態遷移が生じることなく異常発生時の内部情報が保持される。ＨＯＬＤ＃１を出力すると、次にＲＥＬＡＹ＿ＣＮＴ＃１（切替制御部２２）は、ＰＳＵ＃１（電源ユニット１０Ａ）へのＡＣ電力の供給を遮断する制御を行う（ステップＳ１４）。具体的には、ＲＥＬＡＹ＿ＣＮＴ＃１（切替制御部２２）は、ＡＣ＿ＯＦＦ＃１をＲＥＬＡＹ＃１（切替手段３１Ａ）に出力する。これにより、ＰＳＵ＃１へのＡＣ電力の供給は遮断される。なお、元々、ＰＳＵ＿ＣＮＴ＃１（制御部１２Ａ）へはＡＣ＿ＤＣ＃１（電力生成部１１Ａ）とＡＣ＿ＤＣ＃２（電力生成部１１Ｂ）からスタンバイ電源５ＶＳが供給されているので、ＰＳＵ＃１へのＡＣ電力の供給は遮断された後も、ＰＳＵ＿ＣＮＴ＃１（制御部１２Ａ）へはＡＣ＿ＤＣ＃２（電力生成部１１Ｂ）からスタンバイ電源５ＶＳが供給される。ＭＢで稼働するＰＳＵ制御システムは、情報保持回路が保持した内部情報を、Ｉ２Ｃバスを介して取得する。また、ＰＳＵ＿ＣＮＴ＃１は状態の遷移を中止する。これにより、ＬＥＤ＃１は発生した故障に対応する点灯・点滅状態を維持する。保守員は、ＬＥＤ＃１を見て故障内容を把握することができる。また、故障制御システムがＩ２Ｃバスを介して取得した情報を解析等して、故障の詳細を把握することができる。
【００３６】
本実施形態の電源システムによれば、冗長電源構成を有する情報処理装置において、ＰＳＵの異常を判定する手段（異常判定部２１）、個々のＰＳＵへのＡＣ電源の通電を遮断させる手段（切替制御部２２）、ＰＳＵ内部の制御回路（制御部１２）にスタンバイ電源を供給する手段（例えば制御部１２Ａと電力生成部１１Ｂとを接続する電力線）、ＰＳＵの状態に関する情報を保持させる手段（状態保持指示部２３）を備えるため、故障したＰＳＵへのＡＣ電源からの給電を遮断させることができる。また、図９で例示した一般的な制御と比べ、故障発生からより短い時間でＡＣ電源の遮断を行うことができ、発火などが生じる可能性を低減できる。これにより、ＰＳＵ故障後も安全で安定したシステム運用を継続することができる。また、ＰＳＵの故障後（ＡＣ電源の供給遮断後）も、制御回路（制御部１２）へはスタンバイ電源を供給することができるので、ＰＳＵの状態に関する情報が保持され、故障原因の解析を行うことができ、システム運用の保守性能を高めることができる。また、ＡＣ電源の供給遮断後も、故障が生じていないＰＳＵによるシステム電源によって、システムを継続して運用することができる。
【００３７】
＜第二の実施形態＞
以下、本発明の第二の実施形態による電源システムを、図６を参照して説明する。
図６は、本発明の第二の実施形態による電源システムの一例を示す図である。
第一の実施形態と同様の構成には、同じ符号を付し詳細な説明を省略する。図６に示すサーバ装置では、筐体の背面からＰＳＵ＃１、ＰＳＵ＃２を挿抜する。また、ＰＳＵ＃１、ＰＳＵ＃２に直接、ＡＣ電源からのケーブルを接続させる。このため、ＲＥＬＡＹ＃１、ＲＥＬＡＹ＃２をサーバ装置の外部に設置させる点が第一の実施形態と異なる。他の構成については、第一の実施形態と同様である。例えば、ＲＥＬＡＹ＿ＣＮＴ＃１は、ＰＳＵ＿ＣＮＴ＃１と接続され、Ｐ−ＧＯＯＤ＃１、ＦＡＩＬ＃１、ＰＲＥＳ＃１の各信号を取得する。そして、ＰＳＵ＃１の異常および電力供給の遮断を判定すると、ＲＥＬＡＹ＿ＣＮＴ＃１は、ＨＯＬＤ＃１をＰＳＵ＿ＣＮＴ＃１へ出力する。また、ＲＥＬＡＹ＿ＣＮＴ＃１は、ＲＥＬＡＹ＃１と接続され、ＰＳＵ＃１の異常および電力供給の遮断を判定すると、ＲＥＬＡＹ＃１にＡＣ＿ＯＦＦ＃１を出力する。また、ＰＳＵ＿ＣＮＴ＃１は、ＡＣ＿ＤＣ＃１およびＡＣ＿ＤＣ＃２のスタンバイ電源出力ポートと接続され、ＲＥＬＡＹ＃１が切断された後も、ＡＣ＿ＤＣ＃２からスタンバイ電源の供給を受けることができる。ＲＥＬＡＹ＿ＣＮＴ＃２およびＰＳＵ＿ＣＮＴ＃２についても同様である。
【００３８】
ＰＳＵ＃１等に異常が発生したときの処理の流れについては、図５等を用いて説明したものと同様である。本実施形態によれば、筐体の背面からＰＳＵ＃１、ＰＳＵ＃２を挿抜する形態であっても、第一実施形態と同様の効果を得ることができる。
【００３９】
＜第三の実施形態＞
以下、本発明の第三の実施形態による電源システムを、図７を参照して説明する。
図７は、本発明の第三の実施形態による電源システムの一例を示す図である。
第一の実施形態、第二の実施形態と同様の構成には、同じ符号を付し詳細な説明を省略する。図７に示すサーバ装置では、筐体の背面からＰＳＵ＃１、ＰＳＵ＃２を挿抜し、ＰＳＵ＃１、ＰＳＵ＃２に直接、ＡＣ電源からのケーブルを接続させる。また、第二の実施形態では、リレーを筐体の外部に設置させるのに対し、第三の実施形態では、ＲＥＬＡＹ＃１をＰＳＵ＃１に設置し、ＲＥＬＡＹ＃２をＰＳＵ＃２に設置する。他の構成については、第一の実施形態、第二の実施形態と同様である。また、電源ユニット故障時のＡＣ電源の遮断処理の流れについても、図５で説明したものと同様である。
図７に示す構成を採用しても、第一実施形態と同様の効果を得ることができる。
【００４０】
なお、上述の電源ユニット制御部２０、電源ユニット１０Ａ、１０Ｂは内部にコンピュータを有していてもよい。この場合、上述した電源ユニット制御部２０、電源ユニット１０Ａ、１０Ｂの各処理の過程は、プログラムの形式でコンピュータ読み取り可能な記録媒体に記憶されており、このプログラムをコンピュータが読み出して実行することによって、上記処理が行われる。ここでコンピュータ読み取り可能な記録媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータが当該プログラムを実行するようにしてもよい。また、上記プログラムは、前述した機能の一部を実現するためのものであってもよい。さらに、前述した機能をコンピュータシステムにすでに記録されているプログラムとの組み合わせで実現できるもの、いわゆる差分ファイル（差分プログラム）であってもよい。
【００４１】
また、上述した電源ユニット制御部２０、電源ユニット１０Ａ、１０Ｂの各機能の全て又は一部は、ＡＳＩＣ（Application Specific Integrated Circuit）やＰＬＤ（Programmable Logic Device）やＦＰＧＡ（Field-Programmable Gate Array）やＰＬＣ（Programmable Logic Controller）等のハードウェアを用いて実現されてもよい。
【００４２】
その他、本発明の趣旨を逸脱しない範囲で、上記した実施の形態における構成要素を周知の構成要素に置き換えることは適宜可能である。また、この発明の技術範囲は上記の実施形態に限られるものではなく、本発明の趣旨を逸脱しない範囲において種々の変更を加えることが可能である。
【符号の説明】
【００４３】
１０、１０Ａ、１０Ｂ・・・電源ユニット
１１、１１Ａ、１１Ｂ・・・電力生成部
１２、１２Ａ、１２Ｂ・・・制御部
２０・・・電源ユニット制御部
２１・・・異常判定部
２２・・・切替制御部
２３・・・状態保持指示部
３０・・・電源
４０・・・装置
１１０Ａ、１１０Ｂ、１２０Ａ、１２０Ｂ・・・電力線
【図１】
2018160016.tif 000003
【図２】
2018160016.tif 000004
【図３】
2018160016.tif 000005
【図４】
2018160016.tif 000006
【図５】
2018160016.tif 000007
【図６】
2018160016.tif 000008
【図７】
2018160016.tif 000009
【図８】
2018160016.tif 000010
【図９】
2018160016.tif 000011